(57)【要約】【課題】  サブミラーと係止部材との位置関係を保持したままでミラー軸の位置を調整することができるミラー軸調整機構の提供。【解決手段】  メインミラー１の保持枠２０２は、基板３０５に固定されたミラー軸２２４および調整基板２２５に固定されたミラー軸２２３により軸支されている。調整基板２２５には、ミラー軸２２３に加えてメインミラー１を所定位置に位置決めする位置決めピン２２２，サブミラー２を所定位置に係止するキャッチピン３０１および保持枠２１２のカム部２１２ｄに係合するカムピン２１９も固定されている。調整基板２２５は基板３０６の立設部３０６ａに対して上下方向に位置調整をすることができ、その位置調整により、ミラー軸２２３，位置決めピン２２２，キャッチピン３０１およびカムピン２１９の相対位置を保持した状態で、ミラー軸２２３を上下に移動することができる。【選択図】        図２
2005345611.tif 000002
【特許請求の範囲】
【請求項１】
ミラー軸に軸支されて光路位置と退避位置との間で揺動するメインミラーと、そのメインミラーに揺動可能に設けられたサブミラーとを備え、前記メインミラーが位置決め部材により前記光路位置に位置決めされると前記サブミラーが係止部材により所定位置に係止されるクイックリターンミラーのミラー軸調整機構において、
前記サブミラーに設けられたカム部に係合して前記サブミラーの揺動運動を制御するガイド部材と、
前記ミラー軸の一端を支持する第１の基板と、
前記第１の基板に対して平行移動可能に設けられ、前記ミラー軸の他端を支持するとともに、前記係止部材および前記ガイド部材をそれぞれ位置決めする第２の基板とを備え、
前記第２の基板を平行移動して前記ミラー軸，前記係止部材および前記ガイド部材を一体で移動させることにより、前記ミラー軸の位置を調整することを特徴とするミラー軸調整機構。
【請求項２】
請求項１に記載のミラー軸調整機構において、
前記位置決め部材を前記第２の基板により位置決めすることを特徴とするミラー軸調整機構。
【請求項３】
請求項１または２に記載のミラー軸調整機構において、
前記係止部材が固設される旋回腕と、前記旋回腕を前記第２の基板に対して旋回可能に固定する旋回軸と、前記旋回腕の角度を変更することにより前記係止部材による係止位置を調整する係止位置調整部と、を前記第２の基板に設けたことを特徴とするミラー軸調整機構。
【発明の詳細な説明】
【技術分野】
【０００１】
本発明は、一眼レフカメラに設けられたクイックリターンミラーのミラー軸調整機構に関する。
【背景技術】
【０００２】
クイックリターンミラーを有する一眼レフカメラでは、非撮影時には被写体光路中にメインミラーが挿入され、メインミラーで反射された被写体光束をファインダ光学系に導いて被写体像を観察する。また、メインミラーは被写体光束の一部を測距用光束として透過し、その光をサブミラーで反射して測距装置に入射させるようにしている。一方、撮影時にはクイックリターンミラーは被写体光路外へ退避され、被写体光束は開放されたシャッタを通過してフィルム上に結像される。そして、露光が完了すると、再びクイックリターンミラーは光路中に挿入される。
【０００３】
このミラーダウン時に、サブミラーを位置決めする位置決めピンにサブミラーが衝突してバウンドし、そのバウンドが収まるまでは測距を開始できないという問題があった。そのような、サブミラーのバウンドを防止する方法として、サブミラー保持枠に係止溝を形成し、その係止溝に位置決めピンが入り込むようにしてサブミラーを位置決めする構成が提案されている（例えば、特許文献１参照）。
【０００４】
ところで、カメラ組み付け時におけるメインミラーの初期的な位置および角度は精度が要求される。そのため、メインミラーが軸支されるミラー軸はミラーボックスに対する上下位置の調整ができるように構成されるのが一般的であり、角度についてはメインミラーを位置決めするピンを偏芯ピンで構成することにより調整できるようにしている。そして、クイックリターンミラー組み付け後に、これらの調整機構によってメインミラーの上下位置および角度を調整するようにしていた。
【０００５】
【特許文献１】特開平９−２７４２５０号公報
【発明の開示】
【発明が解決しようとする課題】
【０００６】
しかしながら、上記調整によってミラー軸を上下に移動すると、サブミラーの位置決めピンとミラー軸との相対位置関係が変化してしまうため、ミラーダウン時に係止溝と位置決めピンとの係合がスムーズに行われなくなるおそれがあった。
【課題を解決するための手段】
【０００７】
請求項１の発明は、ミラー軸に軸支されて光路位置と退避位置との間で揺動するメインミラーと、そのメインミラーに揺動可能に設けられたサブミラーとを備え、メインミラーが位置決め部材により光路位置に位置決めされるとサブミラーが係止部材により所定位置に係止されるクイックリターンミラーのミラー軸調整機構に適用され、サブミラーに設けられたカム部に係合してサブミラーの揺動運動を制御するガイド部材と、ミラー軸の一端を支持する第１の基板と、第１の基板に対して平行移動可能に設けられ、ミラー軸の他端を支持するとともに、係止部材およびガイド部材をそれぞれ位置決めする第２の基板とを備え、第２の基板を平行移動してミラー軸，係止部材およびガイド部材を一体で移動させることにより、ミラー軸の位置を調整することを特徴とする。
請求項２の発明は、請求項１に記載のミラー軸調整機構において、位置決め部材を第２の基板により位置決めするようにしたものである。
請求項３の発明は、請求項１または２に記載のミラー軸調整機構において、係止部材が固設される旋回腕と、旋回腕を第２の基板に対して旋回可能に固定する旋回軸と、旋回腕の角度を変更することにより係止部材による係止位置を調整する係止位置調整部と、を第２の基板に設けたたものである。
【発明の効果】
【０００８】
本発明によれば、サブミラーとそれを所定位置に係止する係止部材との位置関係を保持したままで、ミラー軸の位置を調整することができる。
【発明を実施するための最良の形態】
【０００９】
以下、図を参照して本発明を実施するための最良の形態について説明する。図１は本発明によるミラー軸調整機構の一実施の形態を示す図であり、一眼レフカメラの断面図である。カメラボディ１００には交換レンズ鏡筒１０１が装着されている。カメラボディ１００内には、メインミラー１およびサブミラー２を有するクイックリターンミラー１０が設けられている。交換レンズ鏡筒１０１のレンズ１０２を通過した被写体光１０３はメインミラー１によって図示上方に反射され、ペンタプリズム１０４等を介して接眼レンズ部１０５に導かれる。メインミラー１は半透過部を有しており、被写体光の一部はその半透過部を透過してサブミラー２により反射される。サブミラー２で反射された被写体光は、カメラボディ１００の下部に設けられた側距センサ１０６へと入射する。
【００１０】
メインミラー１は保持枠２０２に保持されており、サブミラー２は保持枠２１２に保持されている。保持枠２０２は、その上端部分にミラー軸２２３（２２４）が貫挿されており、このミラー軸により軸支されるとともに、ミラー軸２２３（２２４）を揺動軸として揺動することができる。不図示のミラー軸２２４は保持枠２０２の図示反対側の側面に貫挿されている。図１に示すミラーダウン状態では、保持枠２０２が位置決めピン２２２に当設してメインミラー１が被写体光路中の所定位置に位置決めされる。
【００１１】
なお、本実施の形態では、メインミラー１の枠部材２０２を軸支するミラー軸を一対のミラー軸２２３，２２４で構成し、後述するようにその一端を基板３０５に固定し他端を調整基板２２５に固定したが、ミラー軸２２３，２２４を共通の一本のミラー軸で構成するようにしても良い。
【００１２】
保持枠２０２の側面にはピン２０６，２０７が立設されている。ピン２０６は保持枠２０２の反対側の側面にも設けられており、これら一対のピン２０６によってサブミラー２の保持枠２１２は軸支されている。保持枠２１２はピン２０６を揺動軸として揺動することができる。図１に示す状態では、保持枠２１２の下端部に形成されたＵ字形状の溝２１２ａにキャッチピン３０１が係合して、サブミラー２が所定位置に位置決めされる。
【００１３】
保持枠２１２の側面にもピン２１５が立設されており、このピン２１５と保持枠２０２に設けられたピン２０７との間にはトグルバネ２１６が掛け渡されている。このトグルバネ２１６のバネ力によって、保持枠２１２はピン２０６に関してミラーダウン状態では反時計回りに付勢されている。保持枠２１２の上端部分にはカム部２１２ｄが形成され、そのカム部２１２ｄにはカムピン２１９が係合している。メインミラー１を揺動させると、カム部２１２ｄの端面がカムピン２１９にガイドされて、サブミラー２の保持枠２１２がピン２０６に関して揺動する。
【００１４】
なお、図１はメインミラー１が光路位置に位置決めされた状態を示した図であり、露光時には二点鎖線で示すように光路外の退避位置に移動される。その時、メインミラー１の揺動に連動してサブミラー２も連動し、サブミラー２はメインミラー１に対して閉じた状態となる。
【００１５】
図２は、図１のクイックリターンミラー装置の分解斜視図である。基板３０５および基板３０６は、クイックリターンミラー１０が収納されるミラーボックスを構成している。クイックリターンミラー１０は基板３０５と基板３０６で構成される空間に配設される。基板３０６の立設部３０６ａの外側面には、調整基板２２５がビス３１２によって取り付けられている。
【００１６】
ビス３１２が貫通する孔３２０には、孔径がビス３１２のネジ径よりも大きく設定された丸孔や、上下方向の長孔が用いられ、調整基板２２５の取付位置を上下方向に調整することができる。また、立設部３０６ａにおけるビス３１２用のネジ穴はボス部３２１に形成されており、立設部３０６ａとそれに固定された調整基板２２５との間にボス部３２１の高さ分だけ隙間が形成される。さらに、立設部３０６ａには上下方向の２カ所に位置決め用ボス３２２が突設されており、調整基板２２５を立設部３０６ａに取り付けた際に、このボス３２２は調整基板２２５に形成された上下方向の長孔３２３に挿入される。
【００１７】
調整基板２２５の立設部３０６ａ側の面には、軸部材３０３を用いてレバー３０２が取り付けられている。軸部材３０３にはボス部３０３ａが形成されており、レバー３０２は孔３０２ｂにボス部３０３ａが挿入されるように軸部材３０３に装着される。そのため、レバー３０２はボス部３０３ａを旋回軸として旋回することができる。上述した調整基板２２５の立設部３０６ａへの取付は、レバー３０２を調整基板２２５に取り付けた後に行われる。
【００１８】
キャッチピン３０１はレバー３０２の立設部３０６ａ側の面に設けられており、立設部３０６ａに形成された孔３２４を貫通してミラーボックス内に突出している。レバー３０２の上端に形成された切り欠き部３０２ａと調整基板２２５に設けられたピン３３０との間には、バネ３０７が掛け渡されている。レバー３０２はバネ３０７によって反時計回りに付勢され、下端部が偏芯ピン３０４に当接している。偏芯ピン３０４は調整基板２２５に取り付けられている。
【００１９】
メインミラー１の保持枠２０２を軸支するミラー軸２２４は基板３０５に固設され、他方のミラー軸２２３は基板３０６の立設部３０６ａに形成された孔３２５を貫通して調整基板２２５に固設されている。メインミラー１には、ミラー軸２２３に外挿されるようにミラー戻しバネ２３０が設けられている。メインミラー１はミラー戻しバネ２３０によって反時計回りに付勢されている。
【００２０】
ミラー軸２２３の場合と同様に、メインミラー１を位置決めする位置決めピン２２２およびサブミラー２の揺動動作を規定するカムピン２１９は、それぞれ立設部３０６ａに形成された孔３２６，３２７を貫通して調整基板２２５に取り付けられている。なお、位置決めピン２２２，ミラー軸２２３，カムピン２１９および偏芯ピン３０４の調整基板２２５への取付には、カシメやネジ止めなどが用いられる。
【００２１】
図３は、調整基板２２５とクイックリターンミラー１０との関係を示す図である。なお、クイックリターンミラー１０は立設部３０６ａの背後（図示裏面側）に位置しているが、図３では分かりやすいように実線で示した。また、立設部３０６ａに形成された孔３２４〜３２７については破線で示した。
【００２２】
メインミラー１をカメラ正面から見たときの左右方向の傾きを調整する場合には、ミラー軸２２４に対するミラー軸２２３の上下位置を調整する。そして、ミラー軸２２３の上下位置を調整する場合には、ビス３１２を緩めてミラー軸２２３が固定されている調整基板２２５を立設部３０６ａに対して上下に移動させる。上下位置が決定したならば、ビス３１２を締めて調整基板２２５を立設部３０６ａに固定する。この場合の調整幅は、ボス３２２が挿入される長孔３２３の長さ寸法によって決まる。
【００２３】
調整基板２２５にはミラー軸２２３の他に位置決めピン２２２，カムピン２１９および偏芯ピン３０４も固定されているため、調整基板２２５の位置を変更してもこれらの間の相対的位置関係は一定に保持される。すなわち、メインミラー１とサブミラー２との位置関係を保持した状態でメインミラー１の位置を変更することができる。
【００２４】
一方、従来の場合には、ミラー軸２２３を上下してメインミラー１の上下位置を調整し、その後、偏芯ピン機構を有する位置決めピン２２２を調整して角度調整をするようにしていた。この場合、メインミラー１の位置が変化すると、ミラー動作時の枠部材２０２の移動軌跡が変化する。
【００２５】
図４は、ミラーダウン動作時における、枠部材２１２の溝２１２ａとキャッチピン３０１との係合の様子を示したものである。Ａ，Ｂ，Ｃはいずれも枠部材２１２の位置を表しており、枠部材２１２はＡ→Ｂ→Ｃの順に移動する。位置Ａではカムピン２１９は枠部材２１２のカム部２１２ｄに当接しているが、位置Ａから位置Ｂへと変化すると溝２１２ａのテーパ部２３１がキャッチピン３０１に当接し、カムピン２１９はカム部２１２ｄのカム面から離れる。そのため、これ以後の枠部材２１２の移動動作は、キャッチピン３０１が溝２１２ａの平行部２３０に挿入されるように行われる。このようにキャッチピン３０１が溝２１２ａに挿入されることにより、サブミラー２のバウンド動作を防止することができる。
【００２６】
従来の場合、キャッチピン３０１の位置はミラー軸２２３と連動して変化しないため、位置調整後のミラーダウン動作時にキャッチピン３０１が枠部材２１２の溝２１２ａに係合しないおそれがあった。また、キャッチピン３０１の位置調整ができる場合であっても、ミラー軸２２３とは別に調整するような構成となっていたので、微妙な調整ズレによって係合動作が不自然となったり、係合不能となったりする。例えば、図４のハッチングを施したキャッチピン３０１のように位置ズレが生じた場合、キャッチピン３０１が枠部材２１２の溝２１２ａに入らなくなってしまう。
【００２７】
それに対して、本実施の形態ではミラー軸位置調整前後でミラー軸２２３，位置決めピン２２２，カムピン２１９および偏芯ピン３０４の相対位置関係が不変なため、サブミラー２の枠部材２１２はキャッチピン３０１に対して調整前と同様の軌跡を描く。そのため、従来のように溝２１２ａとキャッチピン３０１との位置関係がずれて係合しないというような不都合が生じない。
【００２８】
さらに、調整基板２２５を上下にスライドするだけで、ミラー軸２２３，位置決めピン２２２，カムピン２１９および偏芯ピン３０４の全てを同時に移動させることができるので、個別に調整する場合に比べて調整動作が非常に簡単になるとともに、部品点数の削減を図ることができる。また、ボス３２２を調整基板２２５の上下両端付近に設けることにより両者のスパンを大きく取れるので、調整基板２２５を上下にスライドした際に調整基板２２５が図３の左右方向に傾くのを防止することができる。
【００２９】
なお、枠部材２１２の溝２１２ａとキャッチピン３０１との係合関係だけを考えた場合には、必ずしも位置決めピン２２２を調整基板２２５に設ける必要はない。しかし、ミラー軸２２３の位置を変更した場合、必ず位置決めピン２２２を調整してメインミラー１の角度調整を行う必要がある。一方、位置決めピン２２２を調整基板２２５に設ける場合には相対位置関係が不変なため、そのような角度調整を行う必要はない。
【００３０】
また、組み付け時にキャッチピン３０１の位置調整を行う場合には、レバー３０２の角度を偏芯ピン３０４で変更してキャッチピン３０１の位置を調整する。このようにレバー３０２を介してキャッチピン３０１の位置調整を行う方法は、位置決めピン２２２の場合と同じように偏芯ピン３０４により直接キャッチピン３０１の位置調整を行う場合に比べて、微小調整を容易に行うことができる。
【００３１】
なお、本実施の形態では図示を省略したが、ミラー系にはダウンバウンドを抑えるためにバランサーが設けられる場合があり、そのバランサーの回転軸を調整基板２２５に固定するようにしても良い。また、本発明の特徴を損なわない限り、本発明は上記実施の形態に何ら限定されるものではない。
【００３２】
以上説明した実施の形態と特許請求の範囲の要素との対応において、一対のミラー軸２２３および２２４により請求項１のミラー軸は構成され、基板３０５は第１の基板を、調整基板２２５は第２の基板を、キャッチピン３０１は係止部材を、カムピン２１９はガイド部材を、位置決めピン２２２は位置決め部材を、レバー３０２は旋回腕を、軸部材３０３は旋回軸を、偏芯ピン３０４は係止位置調整部をそれぞれ構成する。
【図面の簡単な説明】
【００３３】
【図１】本発明によるミラー軸調整機構の一実施の形態を示す図であり、一眼レフカメラの断面図である。
【図２】クイックリターンミラー装置の分解斜視図である。
【図３】調整基板２２５とクイックリターンミラー１０との関係を示す図である。
【図４】ミラーダウン動作時における、枠部材２１２の溝２１２ａとキャッチピン３０１との係合動作を説明する図である。
【符号の説明】
【００３４】
１  メインミラー
２  サブミラー
１０  クイックリターンミラー
２０２，２１２  枠部材
２１９  カムピン
２１２ｄ  カム部
２２２  位置決めピン
２２３，２２４  ミラー軸
２２５  調整基板
３０１  キャッチピン
３０２  レバー
３０３  軸部材
３０４  偏芯ピン
３０５，３０６  基板
３２２  ボス
【図１】
2005345611.tif 000003
【図２】
2005345611.tif 000004
【図３】
2005345611.tif 000005
【図４】
2005345611.tif 000006